(57)【要約】      （修正有）【課題】簡単な構造で作業現場において特別の熟練を要しないで接続する管相互の端部を短時間で固定して切断作業の作業性を向上させる。【解決手段】複数の管切断用治具１の固定ブロック２の外周側保持フレームを敷設済みの管２０の外周側に配置し、内周側保持フレームを管２０の内周側にして管２０の管端部にはめ込み、固定ブロック２を内周側保持フレームと固定ねじ１５で管２０に固定する。接続する管２１の管端部を各固定ブロック２の他方のガイド溝に挿入し、管２０と管２１の曲がり角度θに合わせて管２１を配置し、外周側保持ブロック４の管２１側に設けたねじ孔に固定ねじ１５を捩じ込み管２１を固定する。管２１を一定長さ切断した後、スライドブロック３を固定ブロック２から引き出し、管２１の外周面を押えて管２１が落下することを防ぐ。【選択図】  図３
2007075838.tif 000002
【特許請求の範囲】
【請求項１】
固定ブロックとスライドブロックを有し、
前記固定ブロックは、外周側保持フレームと内周側保持フレームの中央部が柱状の連結フレームで連結され、Ｈ字状に形成され、連結フレームの左右の外周側保持フレームと内周側保持フレームの間にはガイド溝し、
前記外周側保持フレームは主フレームと、主フレームの中央部に設けられ、前記連結フレームと直交する方向に突出したガイドフレームを有し、前記主フレームの両端部には、前記内周側保持フレーム側に貫通して設けられ、固定ねじを捩じ込むねじ孔を有し、前記ガイドフレームには、前記スライドブロックの位置を規制する位置決めガイドが設けられたガイド孔を有し、
前記スライドブロックは前記ガイドフレームのガイド孔に嵌合し、長手方向の一方の面に前記ガイドフレームの位置決めガイドに倣う位置決め溝を有し、長手方向の一方の端部に位置決め溝と直交する方向に貫通して設けられ、固定ねじを捩じ込むねじ孔を有する、ことを特徴とする管切断用治具。
【請求項２】
請求項１に記載された管切断用治具を使用した管切断方法であって、
前記管切断用治具を複数個、スライドブロックを固定ブロックから突出させない状態で、固定ブロックの外周側保持フレームと内周側保持フレームで構成する一方のガイド溝を一方の管の管端部にはめ込み、連結フレームを管端に突き当てて固定ブロックを管に位置決めし、外周側保持ブロックに設けたねじ孔に固定ねじを捩じ込み固定ブロックを内周側保持フレームと固定ねじで管に固定し、
他方の管の管端部を各固定ブロックの他方のガイド溝に挿入し、管相互の曲がり角度に合わせて他方の管を配置し、外周側保持ブロックに設けたねじ孔に固定ねじを捩じ込み固定ブロックで他方の管を固定し、
一方の管に環状ガイドレールを固定し、固定したガイドレールに溶断用トーチを搭載した走行台車を取り付け、溶断用トーチを他方の管側に配置して走行台車をガイドレールに沿って走行させ、溶断用トーチをガイドレールと平行に移動しながら他方の管を一定長さ切断し、スライドブロックを固定ブロックから引き出し、ねじ孔に固定ねじを捩じ込み、切断した切断線より管端と反対側の他方の管の外周面を押える操作を順次繰り返して他方の管を切断することを特徴とする管切断方法。
【発明の詳細な説明】
【技術分野】
【０００１】
この発明は、ガスや石油，水道等を輸送するパイプラインを敷設するに当たり、現場で管を溶接等により接合するとき、接合する２本の管端面を一致させるために一方の管端面に倣わせて他方の管端部を切断するときに使用する管切断用治具及びそれを使用した管切断方法、特に、構造の単純化と現場における作業性の向上に関するものである。
【背景技術】
【０００２】
ガス管等の敷設工事において現場で管相互を接続するとき、図６に示すように、エルボが使用できない極めてわずかな角度θで曲がっている部分は、一方の管２１の端部を他方の管２０の端面に倣わせて切断して管相互の端面を一致させて接合している。この切断する管２１の端部を他方の管２０の端面に倣わせて切断するとき、例えばけがき工具を使用し、管２０の端面を基準にして切断する管２１の端部に切断線２５を描き、この切断線２５に沿って管端部をガス切断装置で切断している。
【０００３】
このようにけがき工具を使用して切断する管２１の端部に切断線を精度良く描くためには熟練を要するとともに多くの時間がかかってしまう。この短所を改善するため、特許文献１に示された倣い切断機は、管外周面の円周方向に走行する車輪を有し、管の外周面に装着される台車に、管の軸方法に摺動自在なスライド軸を取り付け、このスライド軸の一方の端部に押圧装置を装着し、他方の端部に溶断用トーチを装着するとともに溶断用トーチの押圧装置と反対側に倣いローラを有する倣い装置を設けている。そして台車を切断する管の外周面に載置して管に巻き回したチェーン等で切断する管の外周面に装着し、倣い装置の倣いローラを押圧装置で倣わせる管の端面に圧接させた状態で台車を管の円周方向に移動しながら溶断用トーチで切断する管の端部を切断するようにしている。
【特許文献１】特開昭５５−５４２６８号公報
【発明の開示】
【発明が解決しようとする課題】
【０００４】
特許文献１に示すように、溶断用トーチの先端に設けた倣い装置を切断する管と相対する管の端面に倣わせて溶断用トーチで管を切断する場合、切断する管と倣わせる管を確実に固定する必要があるが、この管と管を固定することは容易でなく、やはり熟練を要するとともに多くの時間がかかってしまうという短所がある。
【０００５】
また、管外周面の円周方向に走行する車輪を有する台車を切断する管に装着することは容易でなかった。
【０００６】
この発明は、このような短所を改善し、簡単な構造で作業現場において特別の熟練を要しないで接続する管相互の端部を短時間で固定して作業性を向上することができる管切断用治具及びそれを使用した管切断方法を提供することを目的とするものである。
【課題を解決するための手段】
【０００７】
この発明の管切断用治具は、固定ブロックとスライドブロックを有し、固定ブロックは、外周側保持フレームと内周側保持フレームの中央部が柱状の連結フレームで連結され、Ｈ字状に形成され、連結フレームの左右の外周側保持フレームと内周側保持フレームの間にはガイド溝し、外周側保持フレームは主フレームと、主フレームの中央部に設けられ、連結フレームと直交する方向に突出したガイドフレームを有し、主フレームの両端部には、内周側保持フレーム側に貫通して設けられたねじ孔を有し、ガイドフレームには、スライドブロックの位置を規制する位置決めガイドが設けられたガイド孔を有し、スライドブロックはガイドフレームのガイド孔に嵌合し、長手方向の一方の面にガイドフレームの位置決めガイドに倣う位置決め溝を有し、長手方向の一方の端部に位置決め溝と直交する方向に貫通して設けられたねじ孔を有することを特徴とする。
【０００８】
この発明の管切断方法は、前記管切断用治具を使用した管切断方法であって、前記管切断用治具を複数個、スライドブロックを固定ブロックから突出させない状態で、固定ブロックの外周側保持フレームと内周側保持フレームで構成する一方のガイド溝を一方の管の管端部にはめ込み、連結フレームを管端に突き当てて固定ブロックを管に位置決めし、外周側保持ブロックに設けたねじ孔に固定ねじを捩じ込み固定ブロックを内周側保持フレームと固定ねじで管に固定し、他方の管の管端部を各固定ブロックの他方のガイド溝に挿入し、管相互の曲がり角度に合わせて他方の管を配置し、外周側保持ブロックに設けたねじ孔に固定ねじを捩じ込み固定ブロックで他方の管を固定し、一方の管に環状ガイドレールを固定し、固定したガイドレールに溶断用トーチを搭載した走行台車を取り付け、溶断用トーチを他方の管側に配置して走行台車をガイドレールに沿って走行させ、溶断用トーチをガイドレールと平行に移動しながら他方の管を一定長さ切断し、スライドブロックを固定ブロックから引き出し、ねじ孔に固定ねじを捩じ込み、切断した切断線より管端と反対側の他方の管の外周面を押える操作を順次繰り返して他方の管を切断することを特徴とする。
【発明の効果】
【０００９】
この発明は、複数の管切断用治具の固定ブロックで接合する管相互の端部を挟み込んで固定することにより、簡単な構成で管相互を所定の曲がり角度に合わせて確実に固定することができる。
【００１０】
また、管相互を所定の曲がり角度に合わせて固定した後、スライドブロックを固定ブロックから突出させない状態で、一方の管に環状ガイドレールを固定し、固定したガイドレールに溶断用トーチを搭載した走行台車を取り付け、溶断用トーチを他方の管側に配置して走行台車をガイドレールに沿って走行させて溶断用トーチをガイドレールと平行に移動しながら他方の管を切断することにより、他方の管を一方の管端部と平行に切断することができるから、作業現場において特別の熟練を要しないで短時間に管を切断することができ、作業性を向上することができる。
【００１１】
さらに、他方の管を切断するとき、一定長さ切断した後、切断した部分にある管切断用治具のスライドブロックを固定ブロックから引き出し、ねじ孔に固定ねじを捩じ込み、切断した切断線より管端と反対側の他方の管の外周面を押えることにより、切断された他方の管が落下することを防ぐことができ、安定して切断を行うことができる。
【発明を実施するための最良の形態】
【００１２】
図１はこの発明の管切断用治具の構成を示す斜視図である。図に示すように、管切断用治具１は、固定ブロック２とスライドブロック３を有する。固定ブロック２は、外周側保持フレーム４と内周側保持フレーム５の中央部が柱状の連結フレーム６で連結され、Ｈ字状に形成され、連結フレーム６の左右の外周側保持フレーム４と内周側保持フレーム５の間には管の内外周面を構成する管体を挿入するガイド溝７を有する。外周側保持フレーム４は例えば直方体又は円柱状に形成された主フレーム８と、主フレーム８の中央部に連結フレーム６と直交する方向に突出したガイドフレーム９を有する。主フレーム８のガイド溝７に対応する両端部には、内周側保持フレーム５側に貫通して設けられ、例えば角ねじで形成されたねじ孔１０を有し、ガイドフレーム９には、図２の側面図に示すように、スライドブロック３の位置を規制する位置決めガイド１１が設けられた矩形又は円形のガイド孔１２を有する。内周側保持フレーム５も例えば直方体又は円柱状に形成されている。
【００１３】
スライドブロック３はガイドフレーム９のガイド孔１２と嵌合する例えば直方体又は円柱状に形成され、長手方向の一方の面にガイドフレーム９の位置決めガイド１１に倣う位置決め溝１３を有し、長手方向の一方の端部に位置決め溝１３と直交する方向に貫通して設けられ、例えば角ねじで形成されたねじ孔１４を有する。
【００１４】
この管切断用治具１を使用して、現場で管相互を接続するとき、エルボが使用できない極めてわずかな曲がり部分で一方の管端部を他方の管の端面と一致させるように切断する方法について説明する。
【００１５】
まず、図３に示すように、管切断用治具１の固定ブロック２の外周側保持フレーム４を例えば敷設済みの管２０の外周側に配置し、内周側保持フレーム５を管２０の内周側にして、ガイドフレーム９に嵌合させたスライドブロック４のねじ孔１４が設けられた位置とは反対側のガイド溝７を管２０の管端部にはめ込み、連結フレーム６を管端に突き当てて固定ブロック２を管２０に位置決めし、外周側保持ブロック４の管２０側に設けたねじ孔１０に固定ねじ１５を捩じ込み固定ブロック２を内周側保持フレーム５と固定ねじ１５で管２０に固定する。この固定ブロック２を管２０に固定するとき、例えば角ねじで形成された固定ねじ１５で固定するから安定して固定ブロック２を管２０に固定することができる。
【００１６】
この管２０に対する固定ブロック２の固定を、例えば図４の側面図に示すように、複数個所例えば３個所又は４個所で行った後、図３（ｂ）に示すように、接続する管２１の管端部を各固定ブロック２の他方のガイド溝７に挿入し、管２０と管２１の曲がり角度θに合わせて管２１を配置し、外周側保持ブロック４の管２１側に設けたねじ孔１０に固定ねじ１５を捩じ込み固定ブロック２で管２１を固定する。このようにして固定ブロック２で管２０に対して管２１を所定の曲がり角度θに合わせて確実に固定することができる。
【００１７】
その後、図５（ａ）に示すように、管２０に環状ガイドレール２２を固定し、固定したガイドレール２２に溶断用トーチ２３を搭載した走行台車２４を取り付け、溶断用トーチ２３を管２１側に配置する。そしてスライドブロック３のねじ孔１４側を固定ブロック２から突出させない状態で走行台車２４をガイドレール２２に沿って走行させて溶断用トーチ２３をガイドレール２２と平行に移動しながらながら管２１を一定長さだけ切断する。その後、図５（ｂ）に示すように、切断した部分にある管切断用治具１のスライドブロック３のねじ孔１４側を固定ブロック２から引き出し、ねじ孔１４に固定ねじ１６を捩じ込み、切断した切断線より管端と反対側の管２１の外周面を押えて管２１が落下することを防ぐ。この操作を順次繰り返して管２１をガイドレール２２と平行、すなわち管２０の端部と平行に切断する。管２１の端部を切断した後、管切断用治具１を管２０，２１から取り外し、切断した管２１の端部を仕上げて管２０と管２１の端部を接合する。
【００１８】
このように管切断用治具１で管２０と管２１を所定の曲がり角度θに合わせて固定するから、溶断用トーチ２３を搭載した走行台車２４を管２０に固定したガイドレール２２に沿って走行させながら管２１を切断することにより、管２１を管２０の端部と平行に切断することができるから、作業現場において特別の熟練を要しないで短時間に管２１を切断することができ、作業性を向上することができる。
【図面の簡単な説明】
【００１９】
【図１】この発明の管切断用治具の構成を示す斜視図である。
【図２】管切断用治具の構成を示す側面図である。
【図３】管切断用治具を管に取り付けた状態を示す正面図である。
【図４】管切断用治具を管に取り付けた状態を示す側面図である。
【図５】接合する管の切断状態を示す正面図である。
【図６】極めてわずかな角度で曲がっている管相互の切り合わせ状態を示す正面図である。
【符号の説明】
【００２０】
１；管切断用治具、２；固定ブロック、３；スライドブロック、
４；外周側保持フレーム、５；内周側保持フレーム、６；連結フレーム、
７；ガイド溝、８；主フレーム、９；ガイドフレーム、１０；ねじ孔、
１１；位置決めガイド、１２；ガイド孔、１３；位置決め溝、１４；ねじ孔、
１５；固定ねじ、１６；固定ねじ、２０；管、２１；管、２２；ガイドレール、
２３；溶断用トーチ、２４；走行台車。
【図１】
2007075838.tif 000003
【図２】
2007075838.tif 000004
【図３】
2007075838.tif 000005
【図４】
2007075838.tif 000006
【図５】
2007075838.tif 000007
【図６】
2007075838.tif 000008